(57)【要約】      （修正有）【課題】装置本体を小型化することが可能であるとともに、良好な撮影画像を得ることが可能な撮像装置を提供する。【解決手段】この電子スチルカメラ（撮像装置）は、入射された被写体光を反射偏向させる内面反射面２ｂを有するプリズム体２を備えている。このプリズム体２は、ハウジング部２１の内部に回動可能に装着されており、プリズム体２の内面反射面２ｂによって反射偏向された被写体光は、９０°の角度で折り曲げられて、ＣＣＤ４の受光面に入射される。また、プリズム体２は、撮影時に回動することによって、ＣＣＤ４への被写体光の光路を開放および遮断するように構成されている。【選択図】図２
2007328070.tif 000002
【特許請求の範囲】
【請求項１】
入射された被写体光を反射偏向させる反射面を含むとともに、移動可能に設けられた反射部材と、
前記反射部材の反射面によって反射偏向された前記被写体光を受光することにより被写体像を撮像する撮像部とを備え、
前記反射部材は、撮影時に移動することによって、前記撮像部への前記被写体光の光路を開放および遮断するように構成されていることを特徴とする、撮像装置。
【請求項２】
前記撮像部は、前記被写体光を受光することにより発生した電荷を蓄積する電荷蓄積部を備え、前記電荷蓄積部への電荷の蓄積時間を電気的に制御する電子シャッタ機能を有することを特徴とする、請求項１に記載の撮像装置。
【請求項３】
前記反射部材は、斜面の内面反射面を前記反射面とするプリズム体であることを特徴とする、請求項１または２に記載の撮像装置。
【請求項４】
前記反射部材は、前記反射面としての鏡面部を有する反射板であることを特徴とする、請求項１または２に記載の撮像装置。
【請求項５】
前記反射部材と前記撮像部との間には、前記被写体光の光軸上を移動するレンズ群が設けられていることを特徴とする、請求項１〜４のいずれか１項に記載の撮像装置。
【発明の詳細な説明】
【技術分野】
【０００１】
この発明は、撮像装置に関し、特に、被写体光を反射偏向させる反射部材を備えた撮像装置に関する。
【背景技術】
【０００２】
従来、電子スチルカメラに代表される撮像素子（撮像部）を備えた撮像装置が一般的に知られている。この従来の撮像装置では、装置本体を水平に構えた時に、被写体、撮影系、および、撮像素子の撮像面が一直線上に位置するように、撮影系および撮像素子が装置本体内に配置されている。このため、従来の撮像装置では、撮影系の光学全長、および、撮像素子を装着している電装基板の厚みなどによって装置本体の水平方向の長さが決定され、装置本体の水平方向の長さを一定の長さよりも短くすることが困難であるという不都合があった。特に、変倍および焦点調整を行うための移動レンズ群（フォーカスレンズ群）を撮影系に設けた場合には、移動レンズ群が進退するためのスペースを確保する必要があるとともに、移動レンズ群の進退によって生じる光学的な歪を抑制するために正負のレンズ群をさらに設ける必要があるため、撮影系の光学全長が長くなり、これによって、装置本体の水平方向の長さが長くなるという不都合があった。その結果、装置全体を小型化するのが困難であるという問題点があった。
【０００３】
そこで、従来、被写体光を反射偏向させるプリズム体（反射部材）を備えることによって、レンズ群等を含む撮影系をその光軸が垂直方向（撮像装置の上下方向）と平行になるように装置本体内に配置し、これによって、装置本体の水平方向の長さを短縮することが可能な撮像装置が提案されている（たとえば、特許文献１参照）。
【０００４】
上記特許文献１において提案されている撮像装置は、レンズ群を含む撮影系と、撮影系の物体側に固定され、入射された被写体光を反射偏向させるプリズム体（反射部材）と、撮影系の結像側に配置され、プリズム体で反射偏向された被写体光を受光する固体撮像素子とを備えている。また、入射された被写体光は、プリズム体の内面反射面で反射偏向されることによって、その光路が９０°の角度で折り曲げられる。これにより、撮影系をその光軸が垂直方向と平行になるように装置本体内に配置することが可能となるので、撮影系をその光軸が水平方向と平行になるように装置本体内に配置した場合に比べて、装置本体の水平方向の長さを短縮することが可能となる。
【０００５】
【特許文献１】特開平９−２１１２８７号公報
【発明の開示】
【発明が解決しようとする課題】
【０００６】
しかしながら、上記特許文献１において提案されている撮像装置では、撮像素子の受光面への露光は、その記載から、撮像素子（ＣＣＤ（Ｃｈａｒｇｅ  Ｃｏｕｐｌｅｄ  Ｄｅｖｉｃｅ）センサ）が有する電子シャッタ機能によって行われるものと考えられる。このため、電荷の転送時に強い光が撮像素子の受光面に入射された場合には、光源の光とは異なる白い帯状の光が撮影画像に表示されるスミア（Ｓｍｅａｒ）現象が発生するおそれがあるという不都合がある。このため、強い光源が入ったシチュエーションを撮影する場合には、良好な撮影画像を得ることが困難になるおそれがあるという問題点がある。
【０００７】
また、撮像素子の受光面への露光を、メカニカルシャッタにより行う場合には、別途、メカニカルシャッタ機構を設ける必要があるので、その分、装置本体が大型化するという問題点がある。
【０００８】
この発明は、上記のような課題を解決するためになされたものであり、この発明の１つの目的は、装置本体を小型化することが可能であるとともに、良好な撮影画像を得ることが可能な撮像装置を提供することである。
【課題を解決するための手段】
【０００９】
この発明の一の局面における撮像装置は、入射された被写体光を反射偏向させる反射面を含むとともに、移動可能に設けられた反射部材と、反射部材の反射面によって反射偏向された被写体光を受光することにより被写体像を撮像する撮像部とを備え、反射部材は、撮影時に移動することによって、撮像部への被写体光の光路を開放および遮断するように構成されている。
【００１０】
この一の局面による撮像装置では、上記のように、反射部材を移動させることにより、撮像部への被写体光の光路を遮断および開放するように構成することによって、被写体光の受光時間（露光時間）を反射部材の移動により制御することができるので、反射部材をメカニカルシャッタとして機能させることができる。すなわち、撮像部への被写体光の光路が遮断された状態から被写体光の光路を開放し、所定の時間経過後に再び被写体光の光路を遮断するように反射部材を移動させることによって、撮像部への被写体光の受光時間を制御することができるので、別途メカニカルシャッタ機構を設けることなく、撮像部への受光時間（露光時間）を制御することができる。その結果、メカニカルシャッタ機構を別途設けた場合に比べて、装置本体を小型化することができる。
【００１１】
また、本発明の一の局面では、反射部材を移動させることにより、撮影時に撮像部への被写体光の光路を遮断するように構成することによって、撮像部から電荷を電気的に取り出す際に、撮像部の受光面に光が入射されるのを抑制することができるので、電荷の取り出し時に撮像部の受光面に光が入射されることに起因して撮影画像の画像不良が生じるのを抑制することができる。具体的には、電荷の取り出し時に撮像部の受光面に光が入射されるのを抑制することによって、たとえば、撮像部がＣＣＤセンサの場合には、電荷の転送時に強い光が撮像部の受光面に入射されることに起因して撮影画像に白い帯状の光が表示されるスミア現象が発生するのを抑制することができる。また、撮像部がＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサの場合には、撮影画像が歪むフォーカルプレーン現象が発生するのを抑制することができる。その結果、強い光源が入ったシチュエーションを撮影する場合などでも、良好な撮影画像を得ることができる。
【００１２】
さらに、本発明の一の局面では、入射された被写体光を反射偏向させる反射面を含む反射部材を備えることによって、入射された被写体光の光軸を所定の角度で折り曲げることができるので、撮像部の受光面が被写体と一直線とはならない位置に、撮像部を配置することができる。このため、装置本体にレンズ群等を含む撮影系を装着する場合には、撮影系をその光軸が垂直方向と平行になるように装置本体内に配置することができるので、撮影系をその光軸が水平方向と平行になるように装置本体内に配置した場合に比べて、装置本体の水平方向の長さを短くすることができる。これにより、装置全体を小型化することができる。
【００１３】
上記一の局面による撮像装置において、好ましくは、撮像部は、被写体光を受光することにより発生した電荷を蓄積する電荷蓄積部を備え、電荷蓄積部への電荷の蓄積時間を電気的に制御する電子シャッタ機能を有している。このように構成すれば、電気信号を取り出す時間を電気的に制御して撮像を行うことができるので、動作を伴うメカニカルシャッタを用いて撮像を行う場合に比べて、シャッタ速度を早くすることができる。また、このような構成を上記一の局面による撮像装置に適用すれば、撮像部の電荷転送時に、反射部材の移動によって被写体光の撮像部への光路を遮断することができるので、スミア現象およびフォーカルプレーン現象などが発生するのを抑制することができる。その結果、良好な撮影画像を容易に得ることができる。
【００１４】
上記一の局面による撮像装置において、反射部材は、斜面の内面反射面を反射面とするプリズム体によって構成してもよい。
【００１５】
上記一の局面による撮像装置において、好ましくは、反射部材は、反射面としての鏡面部を有する反射板である。このように構成すれば、反射部材をプリズム体により構成した場合に比べて、その体積を小さくすることができるので、反射部材の重量を軽くすることができる。このため、反射部材をプリズム体により構成した場合に比べて、反射部材の移動速度を速くすることができるので、反射部材をメカニカルシャッタとして機能させた場合には、より速いシャッタ速度を得ることができるとともに、撮像部の電子シャッタ機能により撮像する場合には、電荷の取り出し時に、撮像部への被写体光の光路を瞬時に遮断することができる。その結果、良好な撮影画像をより容易に得ることができる。
【００１６】
上記一の局面による撮像装置において、好ましくは、反射部材と撮像部との間には、被写体光の光軸上を移動するレンズ群が設けられている。このような構成を、上記一の局面による撮像装置に適用することによって、光軸上を移動するレンズ群を撮像装置に設けた場合でも、装置本体の水平方向の長さが長くなるのを容易に抑制することができるので、装置全体を容易に小型化することができる。
【発明を実施するための最良の形態】
【００１７】
以下、本発明を具体化した実施形態を図面に基づいて説明する。なお、第１〜第４実施形態では、撮像装置の一例である電子スチルカメラに本発明を適用した場合について説明する。
【００１８】
（第１実施形態）
図１および図２は、本発明の第１実施形態による電子スチルカメラの要部断面図である。図３は、本発明の第１実施形態による電子スチルカメラの構成を示すブロック図である。図４は、本発明の第１実施形態による電子スチルカメラのプリズム体および回動機構部の構造を説明するための斜視図であり、図５は、本発明の第１実施形態による電子スチルカメラのプリズム体の構造を説明するための正面図である。まず、図１〜図５を参照して、本発明の第１実施形態による電子スチルカメラ１００の構造について説明する。
【００１９】
第１実施形態による電子スチルカメラ１００は、図１〜図３に示すように、第１レンズ部１と、プリズム体２と、第２レンズ部３と、ＣＣＤ４と、ＣＤＳ（Ｃｏｒｒｅｌａｔｅｄ  Ｄｏｕｂｌｅ  Ｓａｍｐｌｉｎｇ）回路部５と、Ａ／Ｄ変換部６と、ＤＳＰ（Ｄｉｇｉｔａｌ  Ｓｉｇｎａｌ  Ｐｒｏｃｅｓｓｏｒ）回路部７と、圧縮／伸張回路部８と、制御部（ＣＰＵ）９と、エンコーダ部１０と、液晶表示部１１と、制御プログラム記憶媒体（ＲＯＭ）１２と、シャッタボタン１３と、動作モード切換えスイッチ１４と、メニュー設定ボタン１５と、選択ボタン１６と、決定ボタン１７と、削除ボタン１８とを備えている。また、電子スチルカメラ１００には、記録媒体１９が着脱可能に装着されている。
【００２０】
また、図１および図２に示すように、第１レンズ部１は、固定鏡筒２０に保持されるとともに、その光軸１０１が水平方向Ｈと平行になるように装置本体に装着されている。また、プリズム体２は、第１レンズ部１の背面側（装置内部側）に配置されるとともに、被写体光が入射される平面からなる入射面２ａと、プリズム体２に入射された被写体光を反射偏向させる斜面からなる内面反射面２ｂと、内面反射面２ｂで反射偏向された被写体光を射出する平面からなる射出面２ｃとを有している。また、プリズム体２の内面反射面は、被写体光が入射面２ａに垂直に入射された場合に、被写体光を反射偏向させることによって、被写体光の光路を９０°の角度で折り曲げるように構成されている。なお、プリズム体２は、本発明の「反射部材」の一例であり、プリズム体２の内面反射面２ｂは、本発明の「反射面」の一例である。
【００２１】
ここで、第１実施形態では、図４および図５に示すように、プリズム体２は、両側端部に回動軸部２４ａが設けられた固定ホルダ２４に固定されている。また、固定ホルダ２４の回動軸部２４ａは、ハウジング部２１に回動可能に保持されている。これにより、プリズム体２は、ハウジング部２１の内部に回動軸部２４ａを回動中心として回動することが可能に装着されている。
【００２２】
また、第１実施形態では、プリズム体２が図１の矢印Ａ１方向に回動することによって、被写体光のＣＣＤ４への光路が遮断された状態（図１参照）から、被写体光のＣＣＤ４への光路が開放された状態にすることが可能に構成されている。また、プリズム体２が図２の矢印Ａ２方向に回動することによって、被写体光のＣＣＤ４への光路が開放された状態（図２参照）から、被写体光のＣＣＤ４への光路が遮断された状態にすることが可能に構成されている。
【００２３】
また、第１実施形態では、固定ホルダ２４の一方端側であるとともに、ハウジング部２１の外部には、プリズム体２を回動させるための回動機構部３０が設けられている。この回動機構部３０は、図４に示すように、２本の引張バネ３０ａおよび３０ｂと、それぞれ上下にスライド移動が可能に設けられた第１スライド部材３０ｃおよび第２スライド部材３０ｄと、第１スライド部材３０ｃの係合部３０１ｃと係合する第１係合部材３０ｅおよび第２スライド部材３０ｄの係合部３０１ｄと係合する第２係合部材３０ｆとを備えている。また、引張バネ３０ａの一方端部は、第１スライド部材３０ｃに設けられたボス部３０２ｃに固定されているとともに、他方端部は、第２スライド部材３０ｄに設けられたボス部３０２ｄに固定されている。また、引張バネ３０ｂの一方端部は、ハウジング部２１に設けられたボス部２１ａに固定されているとともに、他方端部は、第２スライド部材３０ｄに設けられたボス部３０３ｄに固定されている。また、固定ホルダ２４の一方端側には、ボス部２４ｂが設けられているとともに、第１スライド部材３０ｃには、第１スライド部材３０ｃが上方にスライド移動した際に、固定ホルダ２４のボス部２４ｂを上方に持ち上げるための突出部３０３ｃが設けられている。
【００２４】
また、固定ホルダ２４の回動軸部２４ａには、図５に示すように、ねじりバネ２５がそれぞれ取り付けられている。このねじりバネ２５の一方端部は、固定ホルダ２４に設けられた凸部２４ｃにそれぞれ固定されており、他方端部は、ハウジング部２１に設けられた凸部２１ｂにそれぞれ固定されている。これにより、回動機構部３０によってプリズム体２が図１に示す矢印Ａ１方向に回動されると、ねじりバネ２５に、プリズム体２を回動方向（矢印Ａ１方向）とは逆方向である図２の矢印Ａ２方向に付勢する付勢力が生じるように構成されている。
【００２５】
また、第１実施形態では、プリズム体２の入射面２ａおよび射出面２ｃ以外の外表面は、遮光処理が施されている。また、ハウジング部２１の内表面は、反射防止処理が施されている。これにより、プリズム体２が図１に示す状態（通常状態）の場合には、被写体光の光路を遮断して、第２レンズ部３に被写体光が入射されないように構成されている。
【００２６】
また、図１および図２に示すように、第２レンズ部３は、複数のレンズ群３ａ、３ｂ、３ｃおよび３ｄから構成されている。また、レンズ群３ａおよび３ｃは、固定鏡筒２２に固定された固定レンズ群であり、レンズ群３ｂおよび３ｄは、固定鏡筒２２に設けられた移動環２２ａおよび２２ｂにそれぞれ保持された移動レンズ群である。また、移動レンズ群であるレンズ群３ｂおよび３ｄは、光軸１０１上を移動することによって、変倍および像面変動の補正などを行うように構成されている。
【００２７】
また、第２レンズ部３は、その光軸１０１が垂直方向Ｖと平行になるように装置本体に配置されている。また、第２レンズ部３の上方側には、絞り機構部２６が設けられているとともに、第２レンズ部３の下方側には、光学フィルタ２７が固定されている。なお、レンズ群３ａ〜３ｄは、光学的に品質を向上させるローパルフィルタなど（広角レンズ、魚眼レンズなど）の効果をもたらす正負のレンズ組み合わせによって構成されている。
【００２８】
また、第２レンズ部３の下方側には、ＣＣＤ４が配置されている。このＣＣＤ４は、固定鏡筒２２の下方端部に設けられた電装基板２３に固定されている。また、電装基板２３の下部には、移動レンズ群であるレンズ群３ｂおよび３ｄを移動させるためのモータ２８が取り付けられている。
【００２９】
また、ＣＣＤ４は、光電変換素子によって構成されるＣＣＤイメージセンサであり、第１実施形態では、電子シャッタ機能を有さないＦＦＴ（Ｆｕｌｌ  Ｆｒａｍｅ  Ｔｒａｎｓｆｅｒ）方式のＣＣＤセンサ（ＦＦＴ−ＣＣＤ）を用いている。このＦＦＴ−ＣＣＤは、被写体像を撮像する撮像領域（受光領域）と電荷を蓄積する蓄積領域とが分離されていないため、受光領域と蓄積領域とを分離させるとともに、分離した蓄積領域を遮光することによって電子シャッタ機能を持たせたＦＴ（Ｆｒａｍｅ  Ｔｒａｎｓｆｅｒ）方式のＣＣＤセンサや、ＦＩＴ（Ｆｒａｍｅ  Ｉｎｔｅｒ  Ｔｒａｎｓｆｅｒ）方式のＣＣＤセンサなどに比べて素子面積が小さい。このため、電子シャッタ機能を有さないＦＦＴ方式のＣＣＤセンサを用いることによって、ＣＣＤ４を固定する電装基板２３を小型化することが可能となり、これにより、装置全体を小型化することが可能となる。
【００３０】
また、ＣＣＤ４は、第２レンズ部３などの撮影光学系によってＣＣＤ４の撮像面（受光面）上に結像された被写体像を撮像し、撮像した被写体像のアナログ画像信号をＣＤＳ回路部５（図３参照）へ出力する機能を有している。なお、ＣＣＤ４は、本発明の「撮像部」の一例である。
【００３１】
また、図３に示すＣＤＳ回路部５は、ＣＣＤ４から出力されたアナログ画像信号に相関二重サンプリング処理を施して画像信号に含まれるノイズを除去する機能を有している。なお、ノイズ除去された画像信号は、図示しない直流再生回路によってＤＣレベル調整が施される。また、Ａ／Ｄ変換部６は、ＤＣレベル調整が施された画像信号をアナログ信号からデジタル信号に変換する機能を有するとともに、デジタル変換された画像データを、ＤＳＰ回路部７へ出力する機能を有している。
【００３２】
また、ＤＳＰ回路部７は、Ａ／Ｄ変換部６によってデジタル変換されたデジタル画像データに対してガンマ変換やホワイトバランス処理などの画像処理を行うとともに、図３に示すように、画像処理後の画像データを圧縮／伸張回路部８へ出力するように構成されている。また、ＤＳＰ回路部７は、画像処理後の画像データや圧縮／伸張回路部８によって伸張処理されたデジタル画像データに対し、それぞれ間引き処理を行って表示用画像データを作成する機能を有している。なお、ＤＳＰ回路部７における信号処理は、制御部９によって制御される。
【００３３】
また、圧縮／伸張回路部８は、画像データに対してＪＰＥＧ変換などの信号圧縮処理を行う機能を有している。なお、圧縮処理における圧縮率は、通常時に行われる「ＢＡＳＩＣモード」の圧縮率、および「ＢＡＳＩＣモード」の圧縮率より低い「ＦＩＮＥモード」の圧縮率など、複数の圧縮率が選択可能に構成されている。また、圧縮／伸張回路部８は、記録媒体１９から読出した圧縮画像データに対する伸張処理を行う機能を有している。なお、圧縮率の変更は制御部９から指示されるとともに、圧縮処理および伸張処理は、制御部９によって制御される。
【００３４】
また、記録媒体１９は、メモリカードなどから構成されており、圧縮処理後の画像データを記録しておく機能を有している。また、記録媒体１９へのデータの記録、および、記録媒体１９からのデータの読出しは、それぞれ、制御部９によって制御される。
【００３５】
また、制御部９は、制御プログラム記憶媒体１２に記憶されている制御プログラムを読み込むことによって、電子スチルカメラ１００の動作を制御するように構成されている。また、電子スチルカメラ１００は、撮影および撮影で得た画像データを記録媒体１９に記録する「撮影モード」と、記録媒体１９に記録されている画像データを読出して液晶表示部１１に表示する「再生モード」とを有している。また、制御部９は、電子スチルカメラ１００の動作モードが「撮影モード」のときは、上記したＣＣＤ４、ＣＤＳ回路部５、Ａ／Ｄ変換部６、ＤＳＰ回路部７、および、圧縮／伸張回路部８による撮影動作および記録動作を制御するように構成されている。また、制御部９は電子スチルカメラ１００が「再生モード」のときは、圧縮／伸張回路部８、エンコーダ部１０、および、液晶表示部１１による再生動作を制御するように構成されている。
【００３６】
また、エンコーダ部１０は、表示用画像データもしくはメニュー表示用データを、液晶表示部１１における表示に必要な信号に変換して液晶表示部１１へ出力する機能を有している。また、液晶表示部１１は、入力された信号による画像もしくはメニューをそれぞれ表示するように構成されている。
【００３７】
また、モータドライバ２９は、制御部９からの指示によりモータ２８を駆動させるように構成されている。これにより、第２レンズ部３のレンズ群３ｂおよび３ｄが第２レンズ部３の光軸１０１上を移動するように構成されている。
【００３８】
また、制御機構部３１は、制御部９からの指示によりプリズム体２を回動させるための回動機構部３０を制御するように構成されている。具体的には、図示しない電磁プランジャなどによって、第１係合部材３０ｅおよび第２係合部材３０ｆを回動させるとともに、図示しないモータなどによって、第２スライド部材３０ｄを初期状態に戻すように構成されている。
【００３９】
また、シャッタボタン１３は、撮影者による操作により、被写体を撮影するための操作信号を制御部９に出力するように構成されている。また、動作モード切換えスイッチ１４は、撮影者による操作に応じて、電子スチルカメラ１００を「撮影モード」および「再生モード」のいずれかの動作モードに切換えるための操作信号を制御部９へ出力するように構成されている。また、メニュー設定ボタン１５は、メニュー設定のための操作信号を制御部９へ出力するように構成されている。また、選択ボタン１６は、メニュー設定時に液晶表示部１１に表示されている内容を変更するための操作信号を制御部９へ出力するように構成されている。また、決定ボタン１７は、メニュー設定時に液晶表示部１１上に表示されている内容に決定するための操作信号を制御部９へ出力するように構成されている。また、削除ボタン１８は、メニュー設定時に液晶表示部１１に表示されている内容を削除するための操作信号を制御部９へ出力するように構成されている。
【００４０】
図６〜図８は、第１実施形態による電子スチルカメラのプリズム体の回動動作を説明するための側面図である。図１〜図３および図６〜図８を参照して、第１実施形態による電子スチルカメラ１００のプリズム体２の回動動作について説明する。
【００４１】
まず、初期状態（通常状態）では、プリズム体２は、図１に示すように、入射面２ａが入射光の光軸１０１と平行な状態となっている。すなわち、初期状態（通常状態）では、被写体光のＣＣＤ４への光路がプリズム体２によって遮断された状態となっている。
【００４２】
次に、撮影者によりシャッタボタン１３が押されると、図３に示すように、制御部９から制御機構部３１に駆動指示が出され、第１係合部材３０ｅが図６の矢印Ｂ１方向に回動する。これにより、第１係合部材３０ｅと第１スライド部材３０ｃの係合部３０１ｃとの係合が解除され、引張バネ３０ａの付勢力によって、図７に示すように、第１スライド部材３０ｃが上方にスライド移動する。この際、第１スライド部材３０ｃの突出部３０３ｃによって、プリズム体２を固定している固定ホルダ２４のボス部２４ｂが上方に持ち上げられる。これにより、プリズム体２が回動軸部２４ａを中心として矢印Ａ１方向に回動する。
【００４３】
そして、プリズム体２が矢印Ａ１方向に約９０°回動した位置で停止して、プリズム体２が図７に示す状態となり、被写体光の光路が開放される。すなわち、プリズム体２の入射面２ａから入射された被写体光が、プリズム体２の内面反射面２ｂで反射偏向されて、その光路が９０°の角度で折り曲げられ、プリズム体２の射出面２ｃから射出される。そして、図２に示すように、第２レンズ部３を介して、被写体光がＣＣＤ４の受光面に入射される。
【００４４】
なお、図７に示すように、プリズム体２が矢印Ａ１方向に回動されることによって、回動軸部２４ａに取り付けられているねじりバネ２５に、プリズム体２を回動方向（矢印Ａ１方向）とは逆方向である矢印Ａ２方向に付勢する付勢力が生じる。
【００４５】
次に、所定の時間経過後に、制御部９から制御機構部３１に駆動指示が出され、第２係合部材３０ｆが図７の矢印Ｃ１方向に回動する。これにより、第２係合部材３０ｆと第２スライド部材３０ｄの係合部３０１ｄとの係合が解除され、引張バネ３０ｂの付勢力によって、図８に示すように、第１スライド部材３０ｃと第２スライド部材３０ｄとが同時に下方にスライド移動する。そして、ねじりバネ２５の付勢力によって、プリズム体２が矢印Ａ２方向に回動し、初期状態と同じ状態である図８に示した状態で停止する。これにより、被写体光のＣＣＤ４への光路が再び遮断される。
【００４６】
上記のようにして、プリズム体２の回動により、所定の時間、ＣＣＤ４の受光面が露光され、被写体像が撮像される。なお、ＣＣＤ４の電荷転送時には、プリズム体２によって被写体光の光路が遮断された状態となっている。また、プリズム体２の回動動作とＣＣＤ４とは、連動して動作することが可能であり、高速連続撮影や低照度撮影などを行うことが可能である。
【００４７】
第１実施形態では、上記のように、プリズム体２を回動させることによりＣＣＤ４への被写体光の光路を遮断および開放するように構成することによって、被写体光の受光時間（露光時間）をプリズム体２の回動により制御することができるので、プリズム体２をメカニカルシャッタとして機能させることができる。すなわち、ＣＣＤ４への被写体光の光路が遮断された状態から被写体光の光路を開放し、所定の時間経過後に再び被写体光の光路を遮断するようにプリズム体２を回動させることによって、被写体光の受光時間を制御することができるので、別途メカニカルシャッタ機構を設けることなく、受光時間（露光時間）を制御することができる。その結果、メカニカルシャッタ機構を別途設けた場合に比べて、装置本体を小型化することができる。
【００４８】
また、第１実施形態では、プリズム体２を回動させることにより、撮影時にＣＣＤ４への被写体光の光路を遮断するように構成することによって、ＣＣＤ４の電荷転送時に、ＣＣＤ４の受光面に光が入射されるのを抑制することができるので、電荷転送時にＣＣＤ４の受光面に強い光が入射されることに起因してスミア現象が発生するのを抑制することができる。このため、強い光源が入ったシチュエーションを撮影する場合でも、良好な撮影画像を得ることができる。
【００４９】
また、第１実施形態では、入射された被写体光を反射偏向させる内面反射面２ｂを有するプリズム体２をハウジング部２１内に装着することによって、入射された被写体光の光軸１０１を９０°の角度で折り曲げることができるので、第２レンズ部３をその光軸１０１が垂直方向Ｖと平行になるように装置本体に配置することができる。このため、第２レンズ部３をその光軸１０１が水平方向Ｈと平行になるように装置本体に配置した場合に比べて、装置本体の水平方向Ｈの長さを短くすることができるので、装置全体を小型化することができる。
【００５０】
また、第１実施形態では、プリズム体２とＣＣＤ４との間に、被写体光の光軸１０１上を移動する移動レンズ群を設けることによって、第２レンズ部３の光軸１０１上を移動する移動レンズ群を電子スチルカメラ１００に設けた場合でも、装置本体の水平方向の長さが長くなるのを容易に抑制することができるので、装置全体を容易に小型化することができる。
【００５１】
また、第１実施形態では、プリズム体２を回動させることによって、メカニカルシャッタとして機能させることができるので、被写体像を撮像するための撮像部（撮像素子）に、電子シャッタ機能を有さないＦＦＴ方式のＣＣＤセンサであるＣＣＤ４を用いることができる。このため、電子シャッタ機能を有するＦＴ方式のＣＣＤセンサおよびＦＩＴ方式のＣＣＤセンサなどを用いた場合に比べて、撮像素子を固定する電装基板２３の大きさを小さくすることができるので、装置全体を小型化することができる。
【００５２】
（第２実施形態）
図９および図１０は、本発明の第２実施形態による電子スチルカメラの要部断面図である。図１１は、本発明の第２実施形態による電子スチルカメラの構成を示すブロック図である。図１２〜図１５は、本発明の第２実施形態による電子スチルカメラを説明するための図である。図９〜図１５を参照して、この第２実施形態では、上記第１実施形態と異なり、電子シャッタ機能を有するＣＣＤ１０４を用いた場合について説明する。なお、ＣＣＤ１０４、電子シャッタ制御部１０５、固定ホルダ１２４、回動機構部１３０以外の構造は、上記第１実施形態と同様であるのでその説明を省略する。
【００５３】
この第２実施形態による電子スチルカメラ１５０では、上記第１実施形態と異なり、初期状態（通常状態）において、図９に示すように、プリズム体２が、その入射面２ａが被写体光の光軸１０１と直交する状態で装着されている。このため、被写体光の光路が開放された状態となっており、通常状態（初期状態）では、ＣＣＤ１０４の受光面が被写体光に常に晒されている。
【００５４】
また、第２実施形態では、ＣＣＤ１０４は、図１４および図１５に示すように、電子シャッタ機能を有するＩＴ（Ｉｎｔｅｒｌｉｎｅ  Ｔｒａｎｓｆｅｒ）方式のＣＣＤセンサ（ＩＴ−ＣＣＤ）が用いられている。このＣＣＤ１０４は、受光した光を画素毎に電気信号に光電変換する二次元状に配列された電荷蓄積素子１０４ａと、各電荷蓄積素子１０４ａに蓄積された電荷を垂直方向へ転送する複数の垂直転送路１０４ｂと、垂直転送路１０４ｂからそれぞれ転送された電荷を水平方向へ転送する図示しない水平転送路とを備えている。また、各電荷蓄積素子１０４ａと垂直転送路１０４ｂとの間には、電荷蓄積素子１０４ａに蓄積された電荷を垂直転送路１０４ｂへ転送するトランスファーゲート（ＴＧ）１０４ｃと、各電荷蓄積素子１０４ａに蓄積された不要電荷を電荷排出部１０４ｄへ排出するオーバーフロードレイン（ＯＦＤ）１０４ｅとが設けられている。また、電子シャッタ制御部１０５（図１１参照）は、ＴＧ１０４ｃおよびＯＦＤ１０４ｅを制御するように構成されている。なお、ＣＣＤ１０４は、本発明の「撮像部」の一例であり、電荷蓄積素子１０４ａは、本発明の「電荷蓄積部」の一例である。
【００５５】
上記のように、第２実施形態による電子スチルカメラ１５０では、ＣＣＤ１０４の受光面に入射されている被写体光は、ＣＣＤ１０４の有する電子シャッタ機能によって撮像されるように構成されている。
【００５６】
また、プリズム体２は、図１２および図１３に示すように、両側端部に回動軸部１２４ａが設けられた固定ホルダ１２４に固定されている。また、固定ホルダ１２４の回動軸部１２４ａは、ハウジング部２１に回動可能に保持されており、これによって、プリズム体２が、ハウジング部２１の内部に回動軸部１２４ａを回動中心として回動することが可能に装着されている。
【００５７】
ここで、第２実施形態では、プリズム体２が図９の矢印Ａ３方向に回動することによって、被写体光のＣＣＤ１０４への光路が開放された状態（図９参照）から、被写体光のＣＣＤ４への光路が遮断された状態にすることが可能に構成されている。また、プリズム体２が図１０の矢印Ａ４方向に回動することによって、被写体光のＣＣＤ１０４への光路が遮断された状態（図１０参照）から、被写体光のＣＣＤ４への光路が開放された状態にすることが可能に構成されている。
【００５８】
また、固定ホルダ１２４の一方端側であるとともに、ハウジング部２１の外部には、プリズム体２を回動させるための回動機構部１３０が設けられている。この回動機構部１３０は、図１２に示すように、２本の引張バネ１３０ａおよび１３０ｂと、それぞれ上下にスライド移動が可能に設けられた第１スライド部材１３０ｃおよび第２スライド部材１３０ｄと、第１スライド部材１３０ｃの係合部１３１ｃと係合する第１係合部材１３０ｅおよび第２スライド部材１３０ｄの係合部１３１ｄと係合する第２係合部材１３０ｆとから構成されている。また、引張バネ１３０ａの一方端部は、第１スライド部材１３０ｃに設けられたボス部１３２ｃに固定されているとともに、他方端部は、第２スライド部材１３０ｄに設けられたボス部１３２ｄに固定されている。また、引張バネ１３０ｂの一方端部は、ハウジング部２１に設けられたボス部２１ａに固定されているとともに、他方端部は、第２スライド部材１３０ｄに設けられたボス部１３３ｄに固定されている。また、固定ホルダ１２４の一方端側には、ボス部１２４ｂが設けられているとともに、第１スライド部材１３０ｃには、第１スライド部材１３０ｃが上方にスライド移動した際に、固定ホルダ１２４のボス部１２４ｂを上方に持ち上げるための突出部１３３ｃが設けられている。
【００５９】
また、固定ホルダ１２４の回動軸部１２４ａには、図１３に示すように、ねじりバネ２５がそれぞれ取り付けられている。このねじりバネ２５の一方端部は、固定ホルダ１２４に設けられた凸部１２４ｃにそれぞれ固定されており、他方端部は、ハウジング部２１に設けられた凸部２１ｂにそれぞれ固定されている。これにより、回動機構部１３０によってプリズム体２が図９に示す矢印Ａ３方向に回動された場合には、ねじりバネ２５に、プリズム体２を回動方向（矢印Ａ３方向）とは逆方向である図１０の矢印Ａ４方向に付勢する付勢力が生じるように構成されている。
【００６０】
図１６〜図１８は、第２実施形態による電子スチルカメラのプリズム体の回動動作を説明するための側面図である。図９〜図１１および図１６〜図１８を参照して、第２実施形態による電子スチルカメラ１５０のプリズム体２の回動動作について説明する。
【００６１】
まず、初期状態（通常状態）では、図９に示すように、プリズム体２は、入射面２ａが第１レンズ部１の光軸１０１と直交する状態でハウジング部２１に装着されている。すなわち、初期状態では、プリズム体２によって、被写体光の光路が開放された状態となっている。このため、ＣＣＤ１０４の電子シャッタ機能によって、被写体像が撮像可能な状態となっている。
【００６２】
この状態で、撮影者によりシャッタボタン１３が押されると、ＣＣＤ１０４の電子シャッタ機能により、被写体像が撮像されるとともに、撮像終了（電荷転送の前）のタイミングで制御部９から制御機構部３１に駆動指示が出され、第１係合部材１３０ｅが図１６の矢印Ｂ２方向に回動する。これにより、第１係合部材１３０ｅと第１スライド部材１３０ｃの係合部１３１ｃとの係合が解除され、引張バネ１３０ａの付勢力によって、図１７に示すように、第１スライド部材１３０ｃが上方にスライド移動する。この際、第１スライド部材１３０ｃの突出部１３３ｃによって、プリズム体２を固定している固定ホルダ１２４のボス部１２４ｂが上方に持ち上げられる。これにより、プリズム体２が回動軸部１２４ａを中心として矢印Ａ３方向に回動する。
【００６３】
そして、プリズム体２が矢印Ａ３方向に約９０°回動した位置で停止して、プリズム体２が図１７に示す状態となり、被写体光の光路が遮断される。この間に、電子シャッタ制御部１０５により、被写体光の受光により発生および蓄積された電荷の転送が行われる。
【００６４】
なお、図１７に示すように、プリズム体２が矢印Ａ３方向に回動されることによって、回動軸部１２４ａに取り付けられているねじりバネ２５に、プリズム体２を回動方向（矢印Ａ３方向）とは逆方向である矢印Ａ４方向に付勢する付勢力が生じる。
【００６５】
次に、ＣＣＤ１０４の電荷の転送が終了すると、制御部９から制御機構部３１に駆動指示が出され、第２係合部材１３０ｆが図１７の矢印Ｃ２方向に回動する。これにより、第２係合部材１３０ｆと第２スライド部材１３０ｄの係合部１３１ｄとの係合が解除され、引張バネ１３０ｂの付勢力によって、第１スライド部材１３０ｃと第２スライド部材１３０ｄとが同時に下方にスライド移動する。そして、ねじりバネ２５の付勢力によって、プリズム体２が矢印Ａ４方向に回動し、初期状態と同じ状態である図１８に示した状態で停止する。これにより、被写体光のＣＣＤ１０４への光路が再び開放される。
【００６６】
図１９は、撮影時のプリズム体、ＯＦＤ、およびＴＧそれぞれの駆動状態を示すタイムチャートである。図２０は、第２実施形態による電子スチルカメラの撮影動作を説明するためのフローチャートである。次に、図１１および図１４〜図２０を参照して、第２実施形態による電子スチルカメラ１５０の撮像動作について説明する。
【００６７】
まず、図２０のステップＳ１において、制御部９により、シャッタボタン１３（図１１参照）が半押しされたか否かが判断される。ステップＳ１において、制御部９により、シャッタボタン１３が半押しされていないと判断された場合には、ステップＳ１におけるシャッタボタン１３が半押しされたか否かの判断が繰り返される。一方、ステップＳ１において、制御部９により、シャッタボタン１３が半押しされたと判断された場合には、ステップＳ２において、モータドライバ２９により、モータ２８が駆動されて、第２レンズ部３のレンズ群３ｂおよび３ｄが移動されて被写体像のピント合わせが行われる。
【００６８】
次に、ステップＳ３において、制御部９により、シャッタボタン１３が全押しされたか否かが判断される。ステップＳ３において、制御部９により、シャッタボタン１３が全押しされていないと判断された場合には、ステップＳ１に戻り、ステップＳ１〜Ｓ３の動作が繰り返される。一方、ステップＳ３において、制御部９により、シャッタボタン１３が全押しされていると判断された場合には、ステップＳ４において、電子シャッタ制御部１０５により、電子シャッタによる被写体像の撮像が行われる。
【００６９】
具体的には、図１４および図１９に示すように、ＴＧ１０４ｃを電荷蓄積可能な状態とするための駆動パルスを出力するとともに、ＯＦＤ１０４ｅから不要電荷を排出するための駆動パルスを出力することにより、電荷蓄積素子１０４ａに残留した電荷を電荷排出部１０４ｄに排出する。そして、電荷蓄積素子１０４ａにおける残留電荷が全て排出されると、電荷蓄積素子１０４ａへの電荷蓄積が開始される。
【００７０】
次に、図１９に示す電荷蓄積時間が経過すると、電荷蓄積可能な状態とされたＴＧ１０４ｃを電荷転送可能な状態とするための駆動パルスが出されて、図１５に示すように、電荷蓄積素子１０４ａに蓄積された電荷が垂直転送路１０４ｂに転送される。
【００７１】
次に、図２０のステップＳ５において、図１９に示すように、制御機構部３１により、電荷蓄積素子１０４ａに蓄積された電荷を垂直転送路１０４ｂに転送するタイミングで、回動機構部１３０が駆動されて、第１係合部材１３０ｅが図１６の矢印Ｂ２方向に回動されて、プリズム体２が矢印Ａ３方向に回動される。これにより、被写体光の光路が遮断される。
【００７２】
次に、図２０のステップＳ６において、電子シャッタ制御部１０５により、電荷転送が終了したか否かが判断される。ステップＳ６において、電子シャッタ制御部１０５により、電荷転送が終了していないと判断された場合には、ステップＳ６における電荷転送が終了したか否かの判断が繰り返される。一方、ステップＳ６において、電子シャッタ制御部１０５により、電荷転送が終了したと判断された場合には、ステップＳ７において、制御機構部３１により、第２係合部材１３０ｆが図１７の矢印Ｃ２方向に回動される。これにより、プリズム体２が矢印Ａ４方向に回動し、図１８に示すように、再び、被写体光の光路が開放される。
【００７３】
次に、図２０のステップＳ８において、制御部９により、ＣＣＤ１０４によって撮像された被写体像の画像処理が行われる。そして、ステップＳ９において、画像処理が行われた被写体像が液晶表示部１１に表示される。これにより、第２実施形態による電子スチルカメラ１５０の撮像動作が終了する。なお、プリズム体２の回動動作とＣＣＤ１０４とは、連動して動作することが可能であり、高速連続撮影や低照度撮影などを行うことが可能である。
【００７４】
第２実施形態では、上記のように、ＣＣＤ１０４を、電子シャッタ機能を有するＩＴ−ＣＣＤとすることによって、電気信号を取り出す時間を制御して撮像を行うことができるので、動作を伴うメカニカルシャッタを用いて撮像を行う場合に比べて、シャッタ速度を早くすることができる。
【００７５】
また、第２実施形態では、電荷転送時に、プリズム体２を回動させることにより、被写体光の光路を遮断（遮光）することによって、ＣＣＤ１０４の電荷転送時に、ＣＣＤ１０４の受光面に強い光が入射されることに起因してスミア現象が発生するのを抑制することができる。
【００７６】
（第３実施形態）
図２１および図２２は、本発明の第３実施形態による電子スチルカメラの要部断面図である。図２３および図２４は、本発明の第３実施形態による電子スチルカメラの反射鏡板の構造を説明するための図である。図２１〜図２４を参照して、この第３実施形態では、上記第２実施形態におけるプリズム体２の代わりに、反射鏡板２０２を用いた場合について説明する。なお、反射鏡板２０２、固定ホルダ２０３、ハウジング部２２１、および、回動機構部２３０以外の構造は、上記第２実施形態と同様であるのでその説明を省略する。
【００７７】
この第３実施形態による電子スチルカメラ２００では、図２１および図２２に示すように、第１レンズ部１の背面側（装置内部側）に、反射鏡板２０２が装着されている。この反射鏡板２０２は、被写体光を反射偏向させる鏡面部２０２ａを有している。また、反射鏡板２０２は、一方端側の両側端部に回動軸部２０３ａを有する固定ホルダ２０３に、その鏡面部２０２ａが外部に露出するように固定されている。また、固定ホルダ２０３の回動軸部２０３ａは、ハウジング部２２１に保持されている。これにより、反射鏡板２０２が、回動軸部２０３ａを回動中心として回動することが可能にハウジング部２２１の内部に装着されている。なお、反射鏡板２０２は、本発明の「反射部材」および「反射板」の一例である。
【００７８】
また、固定ホルダ２０３の一方側端側であるとともに、ハウジング部２２１の外部には、反射鏡板２０２を回動させるための回動機構部２３０が設けられている。この回動機構部２３０は、図２３に示すように、２本の引張バネ２３０ａおよび２３０ｂと、それぞれ上下にスライド移動が可能に設けられた第１スライド部材２３０ｃおよび第２スライド部材２３０ｄと、第１スライド部材２３０ｃの係合部２３１ｃと係合する第１係合部材２３０ｅおよび第２スライド部材２３０ｄの係合部２３１ｄと係合する第２係合部材２３０ｆとを備えている。また、引張バネ２３０ａの一方端部は、第１スライド部材２３０ｃに設けられたボス部２３３ｃに固定されているとともに、他方端部は、ハウジング部２２１に設けられたボス部２２１ａに固定されている。また、引張バネ２３０ｂの一方端部は、第１スライド部材２３０ｃに設けられたボス部２３２ｃに固定されているとともに、他方端部は、第２スライド部材２３０ｄに設けられたボス部２３２ｄに固定されている。また、固定ホルダ２０３の一方端側には、ボス部２０３ｂが設けられているとともに、第２スライド部材２３０ｄには、第２スライド部材２３０ｄが下方にスライド移動した際に、固定ホルダ２０３のボス部２０３ｂを下方に押し下げるための突出部２３３ｄが設けられている。
【００７９】
また、固定ホルダ２０３の回動軸部２０３ａには、図２３および図２４に示すように、ねじりバネ２０４がそれぞれ取り付けられている。このねじりバネ２０４の一方端部は、固定ホルダ２０３に設けられた凸部２０３ｃにそれぞれ固定されており、他方端部は、ハウジング部２２１に設けられた凸部２２１ｂにそれぞれ固定されている。これにより、回動機構部２３０によって反射鏡板２０２が図２１に示す矢印Ａ５方向に回動された場合には、ねじりバネ２０４に、反射鏡板２０２を回動方向（矢印Ａ５方向）とは逆方向である図２２の矢印Ａ６方向に付勢する付勢力が生じるように構成されている。
【００８０】
また、ハウジング部２２１の内表面は、反射防止処理が施されており、反射鏡板２０２が回動することによって、被写体光がハウジング部２２１の内表面に照射された場合でも、ハウジング部２２１の内部で被写体光が散乱しないように構成されている。
【００８１】
また、反射鏡板２０２は、図２１に示す初期状態（通常状態）において、第１レンズ部１の光軸１０１に対して反射鏡板２０２の鏡面部２０２ａがθ（＝４５°）の角度で傾斜するように構成されている。これにより、反射鏡板２０２に入射された被写体光は、鏡面部２０２ａで反射偏向されて、その光路が９０°の角度で折り曲げられるように構成されており、図２１に示す初期状態では、被写体光のＣＣＤ１０４への光路が開放された状態となっている。
【００８２】
また、反射鏡板２０２が図２１の矢印Ａ５方向に回動することによって、被写体光のＣＣＤ１０４への光路が開放された状態（図２１参照）から、被写体光のＣＣＤ１０４への光路が遮断された状態にすることが可能に構成されている。また、反射鏡板２０２が図２２の矢印Ａ６方向に回動することによって、被写体光のＣＣＤ１０４への光路が遮断された状態（図２２参照）から、被写体光のＣＣＤ１０４への光路が開放された状態にすることが可能に構成されている。
【００８３】
図２５〜図２７は、第３実施形態による電子スチルカメラの反射鏡板の回動動作を説明するための側面図である。次に、図２１、図２２および図２５〜図２７を参照して、第３実施形態による電子スチルカメラ２００の反射鏡板２０２の回動動作について説明する。
【００８４】
まず、初期状態（通常状態）では、図２１に示すように、反射鏡板２０２は、鏡面部２０２ａが第１レンズ部１の光軸１０１とθ（＝４５°）の角度で傾斜するようにハウジング部２２１に装着されている。すなわち、初期状態では、反射鏡板２０２によって、被写体光の光路が開放された状態となっている。このため、ＣＣＤ１０４の電子シャッタ機能によって、被写体像が撮像可能な状態となっている。
【００８５】
この状態で、撮影者によりシャッタボタン１３が押されると、ＣＣＤ１０４の電子シャッタ機能により、被写体像が撮像されるとともに、撮像終了（電荷転送の前）のタイミングで制御部９から制御機構部３１に駆動指示が出され、第２係合部材２３０ｆが図２５の矢印Ｃ３方向に回動する。これにより、第２係合部材２３０ｆと第２スライド部材２３０ｄの係合部２３１ｄとの係合が解除され、引張バネ２３０ｂの付勢力によって、図２６に示すように、第２スライド部材２３０ｄが下方にスライド移動する。この際、第２スライド部材２３０ｄの突出部２３３ｄによって、反射鏡板２０２を固定している固定ホルダ２０３のボス部２０３ｂが下方に押し下げられる。これにより、反射鏡板２０２が回動軸部２０３ａを中心として矢印Ａ５方向に回動する。
【００８６】
そして、反射鏡板２０２が約４５°回動した位置で停止して、反射鏡板２０２が図２６に示す状態となり、被写体光の光路が遮断される。この間に、電子シャッタ制御部１０５により、電荷の転送が行われる。
【００８７】
なお、図２６に示すように、反射鏡板２０２が矢印Ａ５方向に回動されることによって、回動軸部２０３ａに取り付けられているねじりバネ２０４に、反射鏡板２０２を回動方向（矢印Ａ５方向）とは逆方向である矢印Ａ６方向に付勢する付勢力が生じる。
【００８８】
次に、ＣＣＤ１０４の電荷の転送が終了すると、制御部９から制御機構部３１に駆動指示が出され、第１係合部材２３０ｅが図２６の矢印Ｂ３方向に回動する。これにより、第１係合部材２３０ｅと第１スライド部材２３０ｃの係合部２３１ｄとの係合が解除され、引張バネ２３０ａの付勢力によって、第１スライド部材２３０ｃと第２スライド部材２３０ｄとが同時に上方にスライド移動する。そして、ねじりバネ２０４の付勢力によって、反射鏡板２０２が矢印Ａ６方向に回動し、初期状態と同じ状態である図２７に示した状態で停止する。これにより、被写体光のＣＣＤ１０４への光路が再び開放される。
【００８９】
なお、第３実施形態による電子スチルカメラ２００の撮像動作は、上記第２実施形態による電子スチルカメラ１５０の撮像動作と同様に行われる。
【００９０】
第３実施形態では、上記のように、被写体光の光路を反射偏向させる反射部材を、鏡面部２０２ａを有する反射鏡板２０２により構成することによって、反射部材をプリズム体２により構成した場合に比べて、体積を小さくすることができるので、反射部材の重量を軽くすることができる。このため、反射部材をプリズム体により構成した場合に比べて、回動速度を速くすることができるので、ＣＣＤ１０４の電荷転送時に、被写体光のＣＣＤ１０４への光路を瞬時に遮断することができる。その結果、電荷の転送時に強い光がＣＣＤ１０４に入射されることに起因してスミア現象が生じるのを有効に抑制することができるので、良好な撮影画像をより容易に得ることができる。
【００９１】
また、第３実施形態では、上記第１および第２実施形態によるプリズム体２の代わりに反射鏡板２０２を用いることによって、被写体光の光路を遮断および開放するために反射鏡板２０２を回動させる角度（約４５°）を、プリズム体２の回動角度（約９０°）に比べて小さくすることができるので、これによっても、反射鏡板２０２の回動速度を速くすることができる。
【００９２】
なお、その他の効果については、上記第２実施形態と同様である。
【００９３】
（第４実施形態）
図２８は、本発明の第４実施形態による電子スチルカメラのプリズム体および回動機構部の構造を説明するための斜視図である。図２８を参照して、この第４実施形態では、上記第１〜第３実施形態と異なり、カムから構成される回動機構部３１０によりプリズム体２を回動させる場合について説明する。なお、回動機構部３１０以外の構造については、上記第２実施形態と同様であるのでその説明を省略する。
【００９４】
この第４実施形態による電子スチルカメラ３００では、上記第２実施形態と同様のプリズム体２が固定ホルダ１２４に固定されることによって、ハウジング部２１の内部に回動可能に装着されている。また、固定ホルダ１２４の一方端側であるとともに、ハウジング部２１の外部には、プリズム体２を回動させるための回動機構部３１０が設けられている。
【００９５】
この回動機構部３１０は、図２８に示すように、固定ホルダ１２４のボス部１２４ｂが挿入されるとともに、挿入されたボス部１２４ｂの移動をガイドするカム溝３１１ｃが設けられたカム板３１０ｃと、カム板３１０ｃのスライド移動をガイドするためのスライド部材３１０ａおよび３１０ｂと、カム板３１０ｃの係合部３１２ｃと係合する係合部材３１０ｄと、カム板３１０ｃを矢印Ｅ方向に付勢するための引張バネ３１０ｇと、上下に移動可能に設けられたピン部材３１０ｆとを備えている。
【００９６】
また、引張バネ３１０ｇの一方端部は、カム板３１０ｃの凸部３１３ｃに固定されており、他方端部は、図示しない装置本体に固定されている。また、カム板３１０ｃは、初期状態において、スライド部材３１０ａおよび３１０ｂの一方端側（矢印Ｆ方向側）に配置され、これによって、引張バネ３１０ｇが引き伸ばされた状態となっている。また、この状態において、固定ホルダ１２４のボス部１２４ｂは、カム溝３１１ｃの左端側（矢印Ｅ方向側）に位置しており、カム板３１０ｃの係合部３１２ｃと係合部材３１０ｄとは、係合された状態となっている。なお、カム板３１０ｃは、引張バネ３１０ｇの付勢力により、矢印Ｅ方向に付勢された状態となっている。
【００９７】
図２９〜図３１は、第４実施形態による電子スチルカメラのプリズム体の回動動作を説明するための側面図である。次に、図２９〜図３１を参照して、第４実施形態による電子スチルカメラ３００のプリズム体２の回動動作について説明する。
【００９８】
まず、初期状態（通常状態）では、図２９に示すように、プリズム体２は、入射面２ａが光軸１０１と直交する状態となっている。この状態から、係合部材３１０ｄが矢印Ｄ方向に回動すると、係合部材３１０ｄとカム板３１０ｃの係合部３１２ｃとの係合が解除され、図３０に示すように、引張バネ３１０ｇの付勢力によって、カム板３１０ｃがスライド部材３１０ａおよび３１０ｂにガイドされながら矢印Ｅ方向にスライド移動する。この際、カム溝３１１ｃに挿入されている固定ホルダ１２４のボス部１２４ｂがカム溝３１１ｃに沿ってガイドされることにより、ボス部１２４ｂが上方に持ち上げられる。これにより、固定ホルダ１２４の回動軸部１２４ａを回動中心として、プリズム体２が矢印Ａ７方向に回動する。そして、プリズム体２が矢印Ａ７方向に約９０°回動した位置で、カム板３１０ｃと、ピン部材３１０ｆとが当接し、カム板３１０ｃの移動が停止する。
【００９９】
次に、所定の時間経過後に、ピン部材３１０ｆが下方（矢印Ｇ方向）に移動すると、引張バネ３１０ｇの付勢力によって、カム板３１０ｃが再び矢印Ｅ方向にスライド移動する。この際、固定ホルダ１２４のボス部１２４ｂがカム溝３１１ｃに沿ってガイドされることにより、ボス部１２４ｂが下方に押し下げられる。これにより、固定ホルダ１２４の回動軸部１２４ａを回動中心として、図３１に示すように、プリズム体２が矢印Ａ８方向に回動する。そして、スライド部材３１０ａおよび３１０ｂの左端（矢印Ｅ方向）部でカム板３１０ｃが停止し、プリズム体２が矢印Ａ８方向に約９０°回動した位置で停止する。上記のようにして、第４実施形態による回動機構部３１０によって、プリズム体２の回動が行われる。
【０１００】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０１】
たとえば、上記第１〜第４実施形態では、本発明を電子スチルカメラに適用した例を示したが、本発明はこれに限らず、カメラ付き携帯電話、ビデオカメラなどのその他の撮像装置に本発明を適用してもよい。
【０１０２】
また、上記第１〜第４実施形態では、被写体像を撮像するための撮像部にＣＣＤセンサを用いた例を示したが、本発明はこれに限らず、ＣＣＤセンサ以外の撮像部を用いてもよい。ＣＣＤセンサ以外の撮像部としては、たとえば、ＣＭＯＳイメージセンサなどが考えられる。また、ＣＣＤセンサおよびＣＭＯＳイメージセンサなどの撮像素子以外の撮像部を用いるようにしてもよい。
【０１０３】
また、上記第１〜第４実施形態では、プリズム体または反射鏡板を固定ホルダに固定した例を示したが、本発明はこれに限らず、プリズム体または反射鏡板に回動軸部を設けることによって、固定ホルダに固定することなく、回動可能に装着するように構成してもよい。
【０１０４】
また、上記第１〜第４実施形態では、反射部材として、プリズム体または反射鏡板を用いた例を示したが、本発明はこれに限らず、被写体光を反射偏向することが可能であれば、プリズム体または反射鏡板以外の反射部材を用いるようにしてもよい。
【０１０５】
また、上記第１〜第４実施形態では、第２レンズ部に複数のレンズ群を設けた例を示したが、本発明はこれに限らず、第１レンズ部と第２レンズ部とで、反射部材を介して、被写体光の屈折率を分担させるようにレンズ群を配置してもよい。
【０１０６】
また、上記第１〜第４実施形態では、プリズム体または反射鏡板を、メカニカルな機構により回動させるように構成した例を示したが、本発明はこれに限らず、プリズム体または反射鏡板を、モータなどにより電気的に回動させるように構成してもよい。また、上記した回動機構以外の機構を用いて、プリズム体または反射鏡板を回動させるように構成してもよい。
【０１０７】
また、上記第１〜第４実施形態では、プリズム体または反射鏡板を回動させる回動機構部を、プリズム体または反射鏡板の一方の側端側に設けた例を示したが、本発明はこれに限らず、回動機構部をプリズム体または反射鏡板の両側端側にそれぞれ設けるようにしてもよい。このように構成すれば、より安定的にプリズム体または反射鏡板を回動させることが可能となる。
【０１０８】
また、上記第１〜第４実施形態では、プリズム体または反射鏡板によって、被写体光の光路を９０°の角度で折り曲げるように構成した例を示したが、本発明はこれに限らず、被写体光を反射偏向することにより、被写体光の光路を９０°以外の角度で折り曲げるように構成してもよい。
【０１０９】
また、上記第１〜第４実施形態では、プリズム体または反射鏡板を回動させることによって、被写体光の光路を遮断および開放するように構成した例を示したが、本発明はこれに限らず、被写体光の光路を遮断および開放することが可能であれば、回動以外の移動動作を行うことが可能に構成してもよい。具体的には、図３２および図３３に示すように、プリズム体を上下にスライド移動させることによって、被写体光の光路を遮断および開放するように構成してもよい。また、反射鏡板を、図３２および図３３に示すプリズム体と同様に、上下にスライド移動するように構成してもよい。
【０１１０】
また、上記第１〜第４実施形態では、第２レンズ部に固定レンズ群および移動レンズ群との組み合わせからなる複数のレンズ群を設けた例を示したが、本発明はこれに限らず、第１レンズ部および第２レンズ部のレンズ群の構成は、上記したレンズ群の構成以外の構成としてもよい。
【０１１１】
また、上記第１〜第４実施形態では、第２レンズ部に光軸上を移動する移動レンズ群を設けた例を示したが、本発明はこれに限らず、移動レンズ群を設けない構成にしてもよい。
【０１１２】
上記第３および第４実施形態では、電子シャッタ機能を有するＣＣＤを用いるとともに、プリズム体または反射鏡板を回動させることにより、電荷転送時に被写体光の光路を遮断するように構成した例を示したが、本発明はこれに限らず、プリズム体または反射鏡板を、上記第１実施形態と同様に、メカニカルシャッタとして機能させるように構成してもよい。
【０１１３】
また、上記第１、第２および第４実施形態では、プリズム体の入射面および射出面を平面にした例を示したが、本発明はこれに限らず、内面反射面によって被写体光を反射偏向することが可能であれば、入射面および射出面は平面以外の形状としてもよい。
【０１１４】
また、上記第２〜第４実施形態では、電子シャッタ機能を有する撮像部としてＩＴ方式のＣＣＤセンサを用いた例を示したが、本発明はこれに限らず、電子シャッタ機能を有する撮像部（撮像素子）であれば、ＩＴ方式以外のＣＣＤセンサを用いるようにしてもよい。また、電子シャッタ機能を有するＣＭＯＳイメージセンサおよびその他の撮像素子を用いるようにしてもよい。
【図面の簡単な説明】
【０１１５】
【図１】本発明の第１実施形態による電子スチルカメラの要部断面図である。
【図２】本発明の第１実施形態による電子スチルカメラの要部断面図である。
【図３】本発明の第１実施形態による電子スチルカメラの構成を示すブロック図である。
【図４】本発明の第１実施形態による電子スチルカメラのプリズム体および回動機構部の構造を説明するための斜視図である。
【図５】本発明の第１実施形態による電子スチルカメラのプリズム体の構造を説明するための正面図である。
【図６】第１実施形態による電子スチルカメラのプリズム体の回動動作を説明するための側面図である。
【図７】第１実施形態による電子スチルカメラのプリズム体の回動動作を説明するための側面図である。
【図８】第１実施形態による電子スチルカメラのプリズム体の回動動作を説明するための側面図である。
【図９】本発明の第２実施形態による電子スチルカメラの要部断面図である。
【図１０】本発明の第２実施形態による電子スチルカメラの要部断面図である。
【図１１】本発明の第２実施形態による電子スチルカメラの構成を示すブロック図である。
【図１２】本発明の第２実施形態による電子スチルカメラのプリズム体および回動機構部の構造を説明するための斜視図である。
【図１３】本発明の第２実施形態による電子スチルカメラのプリズム体の構造を説明するための正面図である。
【図１４】本発明の第２実施形態による電子スチルカメラのＣＣＤの電子シャッタ機能を示すイメージ図である。
【図１５】本発明の第２実施形態による電子スチルカメラのＣＣＤの電子シャッタ機能を示すイメージ図である。
【図１６】第２実施形態による電子スチルカメラのプリズム体の回動動作を説明するための側面図である。
【図１７】第２実施形態による電子スチルカメラのプリズム体の回動動作を説明するための側面図である。
【図１８】第２実施形態による電子スチルカメラのプリズム体の回動動作を説明するための側面図である。
【図１９】撮影時のプリズム体、ＯＦＤ、およびＴＧそれぞれの駆動状態を示すタイムチャートである。
【図２０】第２実施形態による電子スチルカメラの撮影動作を説明するためのフローチャートである。
【図２１】本発明の第３実施形態による電子スチルカメラの要部断面図である。
【図２２】本発明の第３実施形態による電子スチルカメラの要部断面図である。
【図２３】本発明の第３実施形態による電子スチルカメラの反射鏡板の構造を説明するための図である。
【図２４】本発明の第３実施形態による電子スチルカメラの反射鏡板の構造を説明するための図である。
【図２５】第３実施形態による電子スチルカメラの反射鏡板の回動動作を説明するための側面図である。
【図２６】第３実施形態による電子スチルカメラの反射鏡板の回動動作を説明するための側面図である。
【図２７】第３実施形態による電子スチルカメラの反射鏡板の回動動作を説明するための側面図である。
【図２８】本発明の第４実施形態による電子スチルカメラのプリズム体および回動機構部の構造を説明するための斜視図である。
【図２９】第４実施形態による電子スチルカメラのプリズム体の回動動作を説明するための側面図である。
【図３０】第４実施形態による電子スチルカメラのプリズム体の回動動作を説明するための側面図である。
【図３１】第４実施形態による電子スチルカメラのプリズム体の回動動作を説明するための側面図である。
【図３２】本発明の変形例による電子スチルカメラの要部断面図である。
【図３３】本発明の変形例による電子スチルカメラの要部断面図である。
【符号の説明】
【０１１６】
１                                第１レンズ部
２                                プリズム体（反射部材）
２ａ                              入射面
２ｂ                              内面反射面（反射面）
２ｃ                              射出面
３                                第２レンズ部
９                                制御部
１３                              シャッタボタン
２１、２２１                      ハウジング部
２３                              電装基板
２４、１２４、２０３              固定ホルダ
３０、１３０、２３０、３１０      回動機構部
４、１０４                        ＣＣＤ（撮像部）
１０４ａ                          電荷蓄積素子（電荷蓄積部）
１０５                            電子シャッタ制御部
２０２                            反射鏡板（反射部材、反射板）
２０２ａ                          鏡面部（反射面）
【図１】
2007328070.tif 000003
【図２】
2007328070.tif 000004
【図３】
2007328070.tif 000005
【図４】
2007328070.tif 000006
【図５】
2007328070.tif 000007
【図６】
2007328070.tif 000008
【図７】
2007328070.tif 000009
【図８】
2007328070.tif 000010
【図９】
2007328070.tif 000011
【図１０】
2007328070.tif 000012
【図１１】
2007328070.tif 000013
【図１２】
2007328070.tif 000014
【図１３】
2007328070.tif 000015
【図１４】
2007328070.tif 000016
【図１５】
2007328070.tif 000017
【図１６】
2007328070.tif 000018
【図１７】
2007328070.tif 000019
【図１８】
2007328070.tif 000020
【図１９】
2007328070.tif 000021
【図２０】
2007328070.tif 000022
【図２１】
2007328070.tif 000023
【図２２】
2007328070.tif 000024
【図２３】
2007328070.tif 000025
【図２４】
2007328070.tif 000026
【図２５】
2007328070.tif 000027
【図２６】
2007328070.tif 000028
【図２７】
2007328070.tif 000029
【図２８】
2007328070.tif 000030
【図２９】
2007328070.tif 000031
【図３０】
2007328070.tif 000032
【図３１】
2007328070.tif 000033
【図３２】
2007328070.tif 000034
【図３３】
2007328070.tif 000035
【手続補正書】
【提出日】平成19年7月25日(2007.7.25)
【手続補正１】
【補正対象書類名】明細書
【補正対象項目名】００５７
【補正方法】変更
【補正の内容】
【００５７】
ここで、第２実施形態では、プリズム体２が図９の矢印Ａ３方向に回動することによって、被写体光のＣＣＤ１０４への光路が開放された状態（図９参照）から、被写体光のＣＣＤ１０４への光路が遮断された状態にすることが可能に構成されている。また、プリズム体２が図１０の矢印Ａ４方向に回動することによって、被写体光のＣＣＤ１０４への光路が遮断された状態（図１０参照）から、被写体光のＣＣＤ１０４への光路が開放された状態にすることが可能に構成されている。
【手続補正２】
【補正対象書類名】明細書
【補正対象項目名】００８８
【補正方法】変更
【補正の内容】
【００８８】
次に、ＣＣＤ１０４の電荷の転送が終了すると、制御部９から制御機構部３１に駆動指示が出され、第１係合部材２３０ｅが図２６の矢印Ｂ３方向に回動する。これにより、第１係合部材２３０ｅと第１スライド部材２３０ｃの係合部２３１ｃとの係合が解除され、引張バネ２３０ａの付勢力によって、第１スライド部材２３０ｃと第２スライド部材２３０ｄとが同時に上方にスライド移動する。そして、ねじりバネ２０４の付勢力によって、反射鏡板２０２が矢印Ａ６方向に回動し、初期状態と同じ状態である図２９に示した状態で停止する。これにより、被写体光のＣＣＤ１０４への光路が再び開放される。
【手続補正３】
【補正対象書類名】図面
【補正対象項目名】図６
【補正方法】変更
【補正の内容】
【図６】
2007328070.tif 000036
【手続補正４】
【補正対象書類名】図面
【補正対象項目名】図１０
【補正方法】変更
【補正の内容】
【図１０】
2007328070.tif 000037
【手続補正５】
【補正対象書類名】図面
【補正対象項目名】図１１
【補正方法】変更
【補正の内容】
【図１１】
2007328070.tif 000038